(57)【要約】【課題】循環配管内の腐食による水漏れや部品の故障が防止できる浴室暖房乾燥装置を提供する。【解決手段】給湯付風呂釜１１と浴槽１とを接続する往管１６ａと戻管１６ｂとからなる追焚用の循環路の途中に、追炊用の循環路を経由する流路と、浴室に設けられる暖房端末機６を経由する流路と、浴室に設けられた暖房端末機６を経由して循環路に戻る流路とに切り替える切替機構１３が設けられた浴室暖房乾燥装置において、暖房運転時には暖房端末機６側の温水の循環回路に必要水量を毎回注水し、暖房運転終了時には暖房端末機６側の温水の循環回路の温水を浴槽１に排水するように運転制御する。【選択図】  図３
2004294035.tif 000002
【特許請求の範囲】
【請求項１】
給湯付風呂釜と浴槽とを接続する往管と戻管とからなる追焚用の循環路の途中に、この追炊用の循環路を経由する流路と、浴室の暖房端末機を経由する流路と、浴室の暖房端末機を経由して上記循環路に戻る流路とに切り替える切替機構が設けられ、暖房運転時には上記暖房端末機側の温水の循環回路に必要水量を毎回注水し、暖房運転終了時には暖房端末機側の温水の循環回路の温水を前記浴槽に排水する浴室暖房乾燥装置。
【請求項２】
切替機構は、追焚用の循環路の往管の途中に少なくとも１個の流路切替弁と、循環水タンクを備え、上記流路切替弁の一方は浴槽の循環口の入口に接続し、他方は暖房端末機に接続して、浴槽の循環口の出口と暖房端末機の出口は循環路を介して前記循環水タンクに接続してなる請求項１記載の浴室暖房乾燥装置。
【請求項３】
切替機構は、流路切替弁により温水の循環回路が、浴槽の循環口側と暖房端末機側とで別々の循環回路を構成してなる請求項１又は請求項２に記載の浴室暖房乾燥装置。
【請求項４】
給湯付風呂釜が、給排気口を屋外に位置し配管類の接続部が浴室内の壁面側に配置される壁貫通設置型である請求項１〜請求項３のいずれかに記載の浴室暖房乾燥装置。
【発明の詳細な説明】
【０００１】
【発明の属する技術分野】
本発明は、主として家庭用の浴室暖房乾燥装置に関する。
【０００２】
【従来の技術】
温水式の浴室の暖房乾燥装置として図６に示すように、浴室３の天井面に設置した暖房端末機６と、給湯付風呂釜に暖房用熱源機を備えて屋外に設置した複合機２０とを接続して、複合機２０は、追焚用燃焼部２１と追焚用ポンプ２２、給湯用燃焼部２３、暖房用燃焼部２４と、循環ポンプ２５等から構成され、浴室３を暖房するための暖房端末機６には、上記複合機２０の暖房用燃焼部２４と循環ポンプ２５に接続される暖房用熱交換器とこの暖房用熱交換器で空気を加熱して温風を発生させるための電気で駆動する送風機構を備えており、上記暖房乾燥装置の動作は、リモコン（図示省略）等のスイッチ操作により暖房（乾燥も含む）司令が出されると、複合機２０の循環ポンプ２５により循環水タンク２６の水が暖房用燃焼部２４に送られ、これと同時か又はこの後、暖房用燃焼部２４が燃焼し流入した水を加熱して温水として、複合機２０と暖房端末機６とを接続した循環配管２７を経由して暖房端末機６へと温水が供給される（例えば、特許文献１参照）。
暖房端末機６では温水が暖房用熱交換器に供給されるとともに送風機構が駆動して暖房用熱交換器に空気を供給し、送風機構からの空気は温水で昇温され浴室３の内部に放出して浴室３の暖房乾燥を行うようになっている。
一方、暖房端末機６の暖房用熱交換器で熱を奪われた温水は水となって循環配管２７を経由して循環水タンク２６に戻る。また、循環水タンク２６には水が不足した場合に水を供給できる機構（図示省略）が設けられている。
【０００３】
【特許文献１】
特開２００２−３２７９３６公報（第４頁、図３）
【０００４】
従来の技術で述べた暖房乾燥装置は、循環水タンク２６に予め一定量の水を注水し、毎回この水を使用して温水を作る方法が採られており、循環配管内の腐食による水漏れ、駆動部品へのゴミ噛み等による故障等の問題点を有していた。
【０００５】
【発明が解決しようとする課題】
本発明は、暖房乾燥運転の都度、循環配管内に注水又は注湯して常に新しい水と交換することにより、循環配管内の腐食による水漏れや部品の故障が防止できる浴室暖房乾燥装置を提供しようとするものである。
【０００６】
【課題を解決するための手段】
本発明は、次のものに関する。
（１）給湯付風呂釜と浴槽とを接続する往管と戻管とからなる追焚用の循環路の途中に、この追炊用の循環路を経由する流路と、浴室の暖房端末機を経由する流路と、浴室の暖房端末機を経由して上記循環路に戻る流路とに切り替える切替機構が設けられ、暖房運転時には上記暖房端末機側の温水の循環回路に必要水量を毎回注水し、暖房運転終了時には暖房端末機側の温水の循環回路の温水を前記浴槽に排水する浴室暖房乾燥装置。
（２）切替機構は、追焚用の循環路の往管の途中に少なくとも１個の流路切替弁と、循環水タンクを備え、上記流路切替弁の一方は浴槽の循環口の入口に接続し、他方は暖房端末機に接続して、浴槽の循環口の出口と暖房端末機の出口は循環路を介して前記循環水タンクに接続してなる上記（１）記載の浴室暖房乾燥装置。
（３）切替機構は、流路切替弁により温水の循環回路が、浴槽の循環口側と暖房端末機側とで別々の循環回路を構成してなる上記（１）又は（２）に記載の浴室暖房乾燥装置。
（４）給湯付風呂釜が、給排気口を屋外に位置し配管類の接続部が浴室内の壁面側に配置される壁貫通設置型である上記（１）〜（３）のいずれかに記載の浴室暖房乾燥装置。
【０００７】
【発明の実施の形態】
本発明の浴室暖房乾燥装置に用いる給湯付風呂釜としては、浴槽への湯張りのための給湯用燃焼部及び追焚のための追焚用燃焼部を備える構造の給湯付風呂釜、あるいは、浴槽の湯張りのための給湯用燃焼部及び追焚用燃焼部を備えるとともに、浴室外壁の給排気口用の方形穴に浴室内側から嵌め込んで浴室壁面に固定して本体部分を屋外に突き出し、湯、水、ガス等の配管接続部が浴室内の壁面側に配置される構造の壁貫通設置型（外壁貫通設置型）の給湯付風呂釜のいずれでも使用できるが、施工からメンテナンスに至る作業の簡素化，配管経路の短縮による浴室暖房中の熱損出を少なくする上で、好ましくは、後者の配管接続部が浴室内に位置する構造の壁貫通設置型の給湯付風呂釜が使用される。
【０００８】
上記の壁貫通設置型の給湯付風呂釜の風呂釜本体には、ファン、給湯バーナ（給湯用燃焼部）及び風呂バーナ（追焚用燃焼部）、浴槽水を強制循環させる追焚用ポンプ、給湯用熱交換器及び、追焚用熱交換器が設けられ、風呂釜本体の浴室内に位置される配管接続部としての往湯口及び戻湯口と浴室に設置される浴槽の循環口とを往管と戻管とからなる循環路（循環配管）で接続して、風呂釜本体と浴槽との間を湯水が循環できるようにする。
また、給湯用熱交換器と往管の通路の途中には、浴槽への湯張りのための注湯用オンオフ弁が設けられ、給湯熱交換器を経由した水（温水）を往管へ連通する経路が形成される。
【０００９】
浴室を暖房乾燥するための暖房端末機には、暖房用熱交換器及び送風機構等が内蔵されており、この暖房端末機を浴室の天井部、壁面部又は浴室に設置される浴槽のエプロン部内等の適宜の位置に配設する。
【００１０】
浴室の暖房端末機を介さず浴槽のみを経由する通常の追焚通路と、浴室の暖房端末機のみを経由する流路と、浴室の暖房端末機を経由して循環路に戻る流路に切り替えるための切替機構は、給湯付風呂釜と浴槽とを接続する往管と戻管との追焚用の循環路の往管の途中に設けられ、少なくとも１個以上の流路切替弁と循環水タンクを備える。この切替機構の往管への接続は、切替機構における流路切替弁の一方は浴槽の循環口に連通するように配管接続し、他方は暖房端末機を経由してから浴槽の循環口に連通するように循環路から分岐して配管接続する。
上記切替機構の流路切替弁による流路の切り替えにより、給湯付風呂釜の追焚部一つを使用した浴槽の追焚と、暖房乾燥の運転が可能となる。
【００１１】
切替機構は手動式又は電動式のいずれでもよく、主として三方弁やオンオフ弁が使用され、１個の三方弁と１個のオンオフ弁で切り替える方法の他、１個の三方弁で切り替える方法、あるいは２個のオンオフ弁による方法のいずれでもよい。
【００１２】
【作用】
本発明による浴室暖房乾燥装置では、追焚用の循環路の途中に設けられ、浴室の暖房端末機を介さず浴槽のみを経由する通常の追焚通路と、浴室の暖房端末機のみを経由する流路とに切り替える切替機構によって、二通りの機能がもたらされる。その一つは、浴室の暖房端末機を経由しない流路に切り替えた場合の通常の追焚機能であり、二つ目の機能は、浴室の暖房端末機のみを経由する流路に切り替えて、注湯用オンオフ弁を開くと、給湯用燃焼部を経由した水（温水）が、切替機構内に設けた循環水タンクに一定量注湯される。給湯付風呂釜の追焚用ポンプを駆動すると、循環水タンクの湯が暖房端末機に送られ、その後直接循環路の戻管に連通する経路が形成されて、浴室の暖房乾燥運転のみを行う暖房乾燥機能である。
さらに、三つ目の機能は、暖房乾燥運転終了時には暖房端末機を介し浴槽の循環路に連通し、追焚用ポンプを駆動すると循環水タンク及び暖房端末機内の温水を浴槽へ排水する排水機能である。
【００１３】
【実施例】
以下、本発明の実施例を図１〜図５を参照して具体的に説明する。
図１は本発明に係る浴室暖房乾燥装置の一実施例を示す概略構成図、図２〜図５は図１に示した浴室暖房装置の要部構成図を示す説明図である。
図１において、浴室暖房乾燥装置は、浴室入口４、洗い場床５を備えた浴室３内に設置された浴槽１と、浴槽１の上縁面１ａの外側端から垂下するエプロン部２と槽壁との間隔に位置して設けた暖房端末機６と、追焚用燃焼部２１、追焚用ポンプ２２及び給湯用燃焼部２３等を内蔵して給排気口が屋外に位置し配管類の接続部１２が浴室３内の壁面側に位置して浴室外壁の貫通孔に設置された壁貫通設置型の給湯付風呂釜１１を備え、給湯付風呂釜１１と浴槽１とは、浴槽１の循環口７に往管１６ａと戻管１６ｂとからなる循環路（追焚配管）１６を介して連通され、浴槽１内の温水を給湯付風呂釜１１の追焚用ポンプ２２の駆動により戻管１６ｂを介して吸引し給湯付風呂釜１１の追焚用燃焼部２１で加熱し往管１６ａを介して浴槽１に戻して追焚きする構成とするとともに、図２に示すように、循環路１６の往管１６ａの途中に、三方弁からなる流路切替弁１８と、オンオフ弁１９、循環水タンク２６を備える切替機構１３を設けて、この切替機構１３により、往管１６ａを通る温水を暖房端末機６を経由した後浴槽１へと戻す追焚と暖房乾燥を同時に運転する場合の流路と、暖房端末機６を経由することなく浴槽１に直接戻す追焚運転のみを行う場合の流路と、浴槽１を経由することなく、切替機能１３に設けた循環水タンク２６の温水を利用し暖房端末機６のみを経由する暖房乾燥運転のみを行う場合の流路とに切り替えられるように配管接続し構成する。
【００１４】
図２は追焚き単独運転の場合の要素構成を示し、給湯付風呂釜１１のリモコン（図示省略）で追焚のスイッチ操作を行うと、切替機構１３が浴槽１の循環口７及び浴槽１を経由する方向に切り替わり、三方弁からなる流路切替弁１８のＡ部とＣ部及び、オンオフ弁１９が開状態となる。追焚用ポンプ２２の駆動により、浴槽水は循環口７より浴槽戻配管３１を通り、循環水タンク２６を介して吸引され、追焚用燃焼部２１で加熱された後、浴槽往配管３０を通り循環口７を介して浴槽１へと戻される通常の追焚運転を行う。
【００１５】
次に、図３及び図４は暖房・乾燥単独運転の場合の要素構成を示し、給湯付風呂釜１１のリモコンで暖房のスイッチ操作を行うと、まず、図３に示すように切替機構１３の流路切替弁１８のＡ部とＢ部が開状態、オンオフ弁１９が開状態となる。その後、給湯付風呂釜１１内の注湯用オンオフ弁２８が開状態となり、給湯用燃焼部２３を介し温水が循環水タンク２６及び暖房端末機６へと流入し、暖房乾燥流路への呼び水注湯を行う。
予め設定した一定量の呼び水注湯が完了すると、図４に示すように切替機構１３の流路切替弁１８が暖房端末機６を経由する方向に切り替わり、この場合は流路切替弁１８のＡ部とＢ部が開状態、オンオフ弁１９が閉状態となる。追焚用ポンプ２２の駆動により、循環水タンク２６の温水が吸引され追焚用燃焼部２１で加熱された後、暖房往配管３３を通り暖房端末機６へと流入する。暖房端末機６では、送風機構８が駆動し、暖房用熱交換器９を通る温水で送風機構８から送られた空気を加熱して、浴室３の下方に放出する。前記暖房用熱交換器９で熱交換された温水は、暖房戻配管３２を通り、循環水タンク２６へ戻される暖房乾燥運転を行う。
【００１６】
暖房乾燥運転が終了すると、図５に示すように、切替機構１３の流路切替弁１８が循環口７及び浴槽１を経由する追焚流路と、循環水タンク２６、暖房端末機６を経由する方向に切り替わり、この場合は流路切替弁１８のＡ部とＢ部及びＣ部が開状態、オンオフ弁１９が開状態となる。追焚用ポンプ２２の駆動により、循環水タンク２６及び、暖房端末機６及び、暖房乾燥流路内の温水が吸引されて、浴槽往配管３０を通り、浴槽１へと排水される。
【００１７】
上記の実施例で説明した図１〜図５は、追焚用燃焼部２１で加熱された温水が、切替機構１３内に設けられた１個の三方弁からなる流路切替弁１８と１個のオンオフ弁１９で追焚流路と暖房乾燥流路とに分岐され、その後循環水タンク２６で合流し、追焚用ポンプ２２で吸引され、追焚用燃焼部２１へと戻る構成となっている。すなわち、温水の循環回路は並列回路となるため、温水がそれぞれ、循環口７と暖房端末機６に流れるため、直列の回路構成に比べ熱損失が少なく、効率よい運転が可能となる。
また、この実施例では流路切替弁１８を１つしか必要としないため、安価に製作することができる。
【００１８】
上記の実施例では、給湯付風呂釜として、浴室外壁の給排気口用の方形穴に浴室内側から嵌め込んで浴室壁面に固定して本体部分を屋外に突出し、湯、水、ガス等の配管接続部が浴室３内の壁面側に配置される構造の壁貫通設置型（外壁貫通設置型）としたが、これに限らず、屋外据置式の給湯付風呂釜を使用してもよい。
なお、実施例のように壁貫通設置型給湯付風呂釜を使用した場合には、壁貫通設置型の給湯付風呂釜１１と暖房端末機６はどちらも浴室３の内部に位置することになるため、施工からメンテナンスに至るまでの作業を簡略化でき、また、温水循環のための追炊用ポンプ２２を小型化でき、さらには循環路１６が短くなるので暖房中の熱損失を少なくすることができる効果が得られる。
また実施例では、暖房端末機６を浴槽１のエプロン部２内に配設しているが、この設置場所は浴室３の内部であれば、特に限定するものではない。
【００１９】
【発明の効果】
本発明によれば、暖房乾燥運転時は暖房端末機側の温水の循環回路に必要水量を毎回注水するので、循環水タンク及び暖房端末機、暖房乾燥流路内の水が常に新しい水に交換されて、循環配管内の腐食による水漏れ、駆動部品へのゴミ噛み等による故障等を防止することができ、又、清潔となる。
【図面の簡単な説明】
【図１】本発明に係る浴室暖房乾燥装置の一実施例を示す概略構成図である。
【図２】図１に示した浴室暖房乾燥装置の要素構成図（追炊き単独運転時の状態）である。
【図３】図１に示した浴室暖房乾燥装置の要素構成図（暖房・乾燥単独運転時の状態）である。
【図４】図１に示した浴室暖房乾燥装置の要素構成図（暖房・乾燥単独運転時の状態）である。
【図５】図１に示した浴室暖房乾燥装置の要素構成図（暖房・乾燥運転終了後の状態）である。
【図６】従来例による浴室暖房乾燥装置の概略構成図である。
【符号の説明】
１  浴槽                              １ａ  上縁面
２  エプロン部                          ３  浴室
４  浴室入口                            ５  洗い場床
６  暖房端末機                          ７  循環口
８  送風機構                            ９  暖房用熱交換器
１１  給湯付風呂釜                      １２  配管類の接続部
１３  切替機構                          １６  循環路（循環配管）
１６ａ  往管                            １６ｂ  戻管
１８  流路切替弁（三方弁）              １９  オンオフ弁
２０  複合機                            ２１  追焚用燃焼部
２２  追焚用ポンプ                      ２３  給湯用燃焼部
２４  暖房用燃焼部                      ２５  循環ポンプ
２６  循環水タンク                      ２７  循環配管
２８  注湯用オンオフ弁                  ３０  浴槽往配管
３１  浴槽戻配管                        ３２  暖房戻配管
３３  暖房往配管                        ３４  バイパス管
【図１】
2004294035.tif 000003
【図２】
2004294035.tif 000004
【図３】
2004294035.tif 000005
【図４】
2004294035.tif 000006
【図５】
2004294035.tif 000007
【図６】
2004294035.tif 000008